(57)【要約】【課題】  古紙再生パルプの過酸化水素漂白工程におけるカタラーゼ酵素を抑制し、もって最終的な過酸化水素添加量の低減による漂白薬品コストの低減と、漂白後の残過酸化水素の低減によるカチオン要求量の安定、延いては、抄紙工程での断紙トラブルを低減させること。【解決手段】  本願発明の脱墨パルプの製造方法は、離解、粗選、脱墨、精選、および過酸化水素による漂白工程を含む古紙再生脱墨パルプの製造方法において、過酸化水素漂白前の脱水工程における濾液にカタラーゼ抑制剤を添加する。  カタラーゼ抑制剤は、濾液中に含まれるカタラーゼ量を測定し、その結果により、添加量を調整することにより行われる。その際、カタラーゼ抑制剤の添加量は、たとえば、濾液に２ｇ／ｌの１００％過酸化水素とカタラーゼ抑制剤を混合したとき、１５分後の過酸化水素残留率が８０％以上となるように調整する。【選択図】        図１
2005350818.tif 000002
【特許請求の範囲】
【請求項１】
離解、粗選、脱墨、精選、および過酸化水素による漂白工程を含む古紙再生脱墨パルプの製造方法であって、過酸化水素漂白前の脱水工程における濾液にカタラーゼ抑制剤を添加することを特徴とする脱墨パルプの製造方法。
【請求項２】
前記カタラーゼ抑制剤は、前記濾液中に含まれるカタラーゼ量を測定し、その結果により、添加量を調整することを特徴とする請求項１記載の脱墨パルプの製造方法。
【請求項３】
カタラーゼ抑制剤を添加した濾液において、１５分後の過酸化水素残留率が８０％以上となるように、カタラーゼ抑制剤を添加することを特徴とする請求項１または２記載の脱墨パルプの製造方法。
【請求項４】
過酸化水素による漂白後の漂白パルプ中の残留過酸化水素量を測定し、その結果により、漂白工程への過酸化水素の添加量を調節することを特徴とする請求項１，２又は３記載の脱墨パルプの製造方法。
【発明の詳細な説明】
【技術分野】
【０００１】
本願発明は、離解、粗選、脱墨、精選、および過酸化水素による漂白工程を含む古紙再生脱墨パルプの製造方法に関するものであり、さらに詳しくは、同製造方法におけるカタラーゼ酵素の抑制に関するものである。
【背景技術】
【０００２】
古紙再生脱墨パルプの製造工程では、その漂白工程において過酸化水素を使用するが、その過酸化水素が、古紙再生パルプ中に含まれるカタラーゼ酵素によって分解されて漂白薬品として有効に利用できなくなることが知られている（たとえば、カタラーゼ１ｋｇで過酸化水素を３００ｋｇ分解してしまう、と報告されている）。
【０００３】
そして、過酸化水素がカタラーゼ酵素による分解により不足すると、古紙再生パルプが十分に漂白されなくなるため、従来の古紙再生パルプの過酸化水素漂白工程では、漂白後のパルプの白色度を測定し、その結果にもとづいて、過酸化水素の添加量を経験的に調整するようにしていた。
【０００４】
また、カタラーゼ抑制に関する技術としては、たとえば、下記特許文献１において、古紙再生パルプを加熱処理、次亜塩素酸ナトリウムで処理する方法、オゾンと接触させる方法等が開示されている。
【０００５】
【特許文献１】特開平０７−３２４２９３
【発明の開示】
【発明が解決しようとする課題】
【０００６】
古紙再生パルプの製造工程で生成するカタラーゼ酵素を処理する方法については、上記のように加熱処理する方法、次亜塩素酸ナトリウムで処理する方法、オゾンと接触させる方法等が知られているが、加熱処理する方法には、約８０℃〜９０℃までの温度を必要とし、大きなエネルギー消費が伴う、という問題があり、また、次亜塩素酸塩処理は、塩素化生成物の使用に関連して、何らかの環境的問題を生じる可能性があることが指摘されている（上記特許文献１の段落「０００７」）。
【０００７】
一方、古紙再生パルプをオゾンと接触させる方法は、オゾン量にもよるが、古紙再生パルプとオゾンとを一定の時間だけ（段落「００２２」の記述によれば少なくとも１〜６分）接触させる必要があるとされていて、カタラーゼ酵素を安定的に、また効率よく抑制し得るか否か、疑問である。
【０００８】
そこで、本願発明は、上記のような従来例とは異なる方法で、古紙再生パルプの過酸化水素漂白工程におけるカタラーゼ酵素を抑制し、もって最終的な過酸化水素添加量の低減による漂白薬品コストの低減と、漂白後の残過酸化水素の低減によるカチオン要求量の安定、延いては、抄紙工程での断紙トラブルを低減させること、等を目的としてなされたもので、次のような手段により構成されている。
【課題を解決するための手段】
【０００９】
すなわち、本願発明の脱墨パルプの製造方法は、離解、粗選、脱墨、精選、および過酸化水素による漂白工程を含む古紙再生脱墨パルプの製造方法において、過酸化水素漂白前の脱水工程における濾液にカタラーゼ抑制剤を添加することを基本的特徴とする。そして、前記カタラーゼ抑制剤は、前記濾液中に含まれるカタラーゼ量を測定し、その結果により、添加量を調整することにより行われる。その際、カタラーゼ抑制剤の添加量は、たとえば、濾液に２ｇ／ｌの１００％過酸化水素とカタラーゼ抑制剤を混合したとき、１５分後の過酸化水素残留率が８０％以上となるように調整することが推奨される。さらに、本願発明の脱墨パルプの製造方法においては、カタラーゼ抑制剤として、クラリアントジャパン（株）製の「カルタン ＲＣＦ リキッド」を使用した場合、その添加量は、２０〜２５０ｐｐｍとするのが好適である（２０ｐｐｍ未満では、カタラーゼ抑制効果が得難く、２５０ｐｐｍ超ではカタラーゼ抑制効果が飽和するため不適切である）。
【００１０】
本願発明の方法で使用可能なカタラーゼ抑制剤としては、上記「カルタン ＲＣＦ リキッド」のほか、特に限定するものではないが、グルタルアルデヒドまたは１，５−ペンタルジアール・グルタルアルデヒド又はその両者を用いることも推奨される。
【００１１】
過酸化水素漂白タワー前の脱水設備（たとえば、ベルトシックナー、ディスクシックナー、バルブレスフィルター、エキストラクターなど）の濾液は、古紙溶解時の希釈水や漂白工程より前工程の希釈水、シャワー水、等に循環使用している。本願発明の方法では、この濾液のカタラーゼ量を測定し（自動連続測定することが好ましい）、その測定値に対応してカタラーゼ抑制剤を添加する（添加量は自動制御することが好ましい）ことで、古紙再生パルプ製造工程の全体のカタラーゼ量を低減・安定化させることができる。また、本願発明を実施するにあたっては、漂白後のパルプの残過酸化水素量を測定し（自動連続測定することが好ましい）、その測定値に対応して過酸化水素の添加量を制御する（添加量は自動制御することが好ましい）ことにより、過酸化水素の過剰添加を防止することが好ましい。
【００１２】
なお、カタラーゼを抑制する手段としては、古紙再生パルプ中に直接カタラーゼ抑制剤を添加する方法も考えられるが、古紙再生パルプに直接カタラーゼ抑制剤を添加すると、該カタラーゼ抑制剤がパルプとともに系外へ出ていき、カタラーゼ抑制効果が低減されることが懸念される。これに対して、本願発明のように、パルプ中にではなく、各工程で循環使用している濾液中にカタラーゼ抑制剤を添加するようにすれば、カタラーゼ抑制剤を効果的に利用することができ、系全体のカタラーゼ量、残留過酸化水素、カチオン要求量等を安定させることができる。
【発明の効果】
【００１３】
本願発明の脱墨パルプの製造方法によれば、古紙再生パルプの製造工程において、過酸化水素漂白前の脱水工程における濾液にカタラーゼ抑制剤を添加する、という簡便な方法により、漂白薬品（過酸化水素）を低減することができるとともに、漂白後の残過酸化水素を低減することにより、カチオン要求量を安定させて抄紙段階での断紙トラブルを低減することができるという効果がある。
【００１４】
なお、古紙再生パルプの過酸化水素漂白工程では、漂白薬品添加とともに、苛性曹達・珪酸曹達を同時添加することが多いが、過酸化水素を低減することにより、苛性曹達・珪酸曹達も同時に低減できるメリットがある。この場合、ｐｈが下がり、後工程のフローテーターでも適正なｐｈとなる。また、晒効率が向上し、同一の薬品添加量で白色度を上げることができる効果がある。
【発明を実施するための最良の形態】
【００１５】
次に、本願発明の具体的実施例を説明すると、図１には、本願発明の脱墨パルプの製造方法を実施するための標準的な工程が示されており、これによると、古紙再生パルプ原料ＷＰは、離解工程（Ａ）、粗選工程（Ｂ）、脱墨工程（Ｃ）、精選工程（Ｄ）を経て、精選パルプ原料ＷＰ′となる。
【００１６】
精選パルプ原料ＷＰ′は、そのあと脱水工程（Ｅ）において洗浄水Ｗによって洗浄されて未漂白パルプＵＢＰとなって漂白工程（Ｆ）へ送られる。一方、脱水工程（Ｅ）で発生した濾液Ｗ′は濾液タンクＴで貯留される。この濾液タンクＴに流入する濾液Ｗ′は所定濃度のカタラーゼ酵素を含んでいるため、濾液タンクＴには、ポンプＰ１によりカタラーゼ抑制剤ＣＬが添加される。
【００１７】
図１の実施例においては、濾液タンクＴに対するカタラーゼ抑制剤ＣＬの添加量制御は次のようにして行われる。
【００１８】
すなわち、濾液タンクＴに接続されているセンサーＳ１に濾液タンクＴ内の濾液の一部をとり、これに２ｇ／ｌの１００％過酸化水素とカタラーゼ抑制剤とを混合したとき、１５分後の過酸化水素残留率が８０％以上を維持するように、ポンプＰ１を制御（又は流量制御弁Ｖ１を調節）してカタラーゼ抑制剤ＣＬの添加量を調節する。
【００１９】
図１の実施例では、カタラーゼ抑制剤としてクラリアントジャパン（株）製の「カルタン ＲＣＦ リキッド」を使用しているが、この場合のカタラーゼ抑制剤の添加量は、既述の理由により、２０〜２５０ｐｐｍとするのが好適である。
【００２０】
カタラーゼ抑制剤の添加によりカタラーゼ量を低減されたタンクＴ内の濾液は、主として離解工程での希釈水として循環使用されるほか、その一部は、粗選工程、脱墨工程、精選工程等の希釈水やシャワー水として使用される。
【００２１】
一方、脱水工程（Ｅ）から取り出された未漂白パルプＵＢＰは、漂白工程（Ｆ）へ送られて、ここで漂白薬品（過酸化水素Ｈ2Ｏ2）により漂白され、漂白パルプＢＰとなって次工程（抄紙工程）へ送られる。この漂白パルプＢＰはセンサーＳ２により連続的にパルプ中の残存過酸化水素量を測定されており、その結果により、ポンプＰ２を制御（又は流量制御弁Ｖ２を調節）して過酸化水素Ｈ2Ｏ2の供給量を制御し、もって漂白薬品の過剰添加を防止するようにしている。
【図面の簡単な説明】
【００２２】
【図１】本願発明の方法を実施するための工程の一例を示す概念図である。
【符号の説明】
【００２３】
Ａは離解工程、Ｂは粗選工程、Ｃは脱墨工程、Ｄは精選工程、Ｅは脱水工程、Ｆは漂白工程、ＷＰは古紙再生パルプ原料、ＷＰ′は精選パルプ原料、Ｗは洗浄水、Ｗ′は濾液、ＣＬはカタラーゼ抑制剤、Ｈ2Ｏ2は過酸化水素、Ｐ１，Ｐ２はポンプ、Ｓ１，Ｓ２はセンサー、ＵＢＰは未漂白パルプ、ＢＰは漂白パルプである。
【図１】
2005350818.tif 000003